(57)【要約】【課題】高い訴求効果を発揮するとともに、見る人に提供する情報を容易に変更できる広告宣伝方法を提供すること。【解決手段】不特定多数の人に対して各種の情報を提供するための広告宣伝方法であって、透明フィルムに所定の情報を印刷してなる広告シール１０を準備し、この広告シール１０を不特定多数の人が使用する洗面台やパウダールーム等に設置してある化粧鏡Ｍの表面に貼着する。洗面台やパウダールーム等という不特定多数の人が一定時間留まる場所であって、かつ必ず視界に入る化粧鏡Ｍに貼着するため、高い訴求効果を発揮することができる。そして、広告シール１０に透明部分を残しておくことにより、鏡としての機能を損なうことがない状態にすることができる。【選択図】図１
2005266196.tif 000002
【特許請求の範囲】
【請求項１】
不特定多数の人に対して各種の情報を提供するための広告宣伝方法であって、透明フィルムに所定の情報を印刷してなる広告シールを準備し、この広告シールを不特定多数の人が使用する洗面台やパウダールーム等に設置してある化粧鏡の表面に貼着することを特徴とする広告宣伝方法。
【請求項２】
広告シールとして、化粧鏡の使用者の正面に位置する中央部に顔のサイズ以上の抜き部分を設けた広告シールを用いることを特徴とする請求項１に記載の広告宣伝方法。
【発明の詳細な説明】
【技術分野】
【０００１】
本発明は、広告宣伝の技術分野に属し、詳しくは、デパート、スーパーマーケット、映画館、イベントホール、レストラン、駅ビル、公共施設等に来訪する不特定多数の人に対して各種の情報を提供するための広告宣伝方法に関するものである。
【背景技術】
【０００２】
従来、デパートやスーパーマーケットなどにおいて各種商品の情報を提供したり、或いは、映画館やイベントホールなどにおいて番組やイベントの情報を来訪者に提供したりするために、様々な広告宣伝方法が採られている。例えば、ポスターを使って文字や絵で情報を提供する方法や、最近では大型モニターを使って映像と音を提供することで情報を提供する方法などが採られている。そして、このような商品情報やイベント情報等を来訪者に知ってもらうための広告宣伝方法としては、来訪者の注意を惹くような高い訴求効果のあるものが求められており、また、入れ替わる各種の情報に対応できるように、提供する情報を容易に変更できるものが求められている。
【０００３】
このような広告宣伝方法の例としては、例えば、特許文献１，２に記載のものが挙げられる。このうち特許文献１に記載のものは、広告シートを挿入した透明な保護シートからなる広告板を装着可能な広告表示板を使用し、これを店舗等の窓ガラスに掲示したり店頭にてスタンドで掲示したりする方法である。また、特許文献２に記載のものは、店内で商品を入れる手提げ籠や商品を運ぶカートに広告板を装着する方法である。
【特許文献１】特開２００２−８２６２１号公報
【特許文献２】特開平７−２１０１０５号公報
【発明の開示】
【発明が解決しようとする課題】
【０００４】
上記した特許文献１に記載の広告宣伝方法は、広告情報を表示した広告シートを入れ替えることにより、提供する情報を容易に変更することができるという利点はあるものの、広告シートを挿入するための広告板とその広告板を装着するための広告保持板を必要とするので、広告シートのサイズが限られるとともに、また設置場所や表示機能の点からは一般の広告板との差が余りなく、訴求効果がいま今一つである。
【０００５】
また、特許文献２に記載の広告宣伝方法は、広告板が常に消費者の近くにあると同時に他の消費者にも訴えかけるという訴求効果はあるものの、広告板の装着位置が消費者の目線より低い位置にあって、非常に見づらいといった欠点がある。また、籠やカートは消費者と共に常に動き回るため、注視しにくいという問題があり、また、籠内に装着した広告板は、商品が入っていくに連れて見にくくなっていくという問題もある。
【０００６】
本発明は、このような事情に鑑みてなされたものであり、その目的とするところは、高い訴求効果を発揮するとともに、見る人に提供する情報を容易に変更できる広告宣伝方法を提供することにある。
【課題を解決するための手段】
【０００７】
上記の目的を達成するため、本発明の広告宣伝方法は、不特定多数の人に対して各種の情報を提供するための広告宣伝方法であって、透明フィルムに所定の情報を印刷してなる広告シールを準備し、この広告シールを不特定多数の人が使用する洗面台やパウダールーム等に設置してある化粧鏡の表面に貼着することを特徴としている。
【０００８】
そして、上記の広告宣伝方法において、広告シールとして、化粧鏡の使用者の正面に位置する中央部に顔のサイズ以上の抜き部分を設けた広告シールを用いることが好ましいものである。
【発明の効果】
【０００９】
本発明の広告宣伝方法は、来訪者に提供したい情報を印刷してなる広告シールを、洗面台やパウダールーム等という不特定多数の人が一定時間留まる場所であって、かつ必ず視界に入る化粧鏡に貼着するため、高い訴求効果を発揮することができる。そして、広告シールに透明部分を残しておくことにより、鏡としての機能を損なうことがない状態にすることができる。
【００１０】
また、広告シールとして、化粧鏡の使用者の正面に位置する中央部に顔のサイズ以上の抜き部分を設けた広告シールを用いることにより、使用者の顔が鏡に直に映ることになるので、鮮映度の点において鏡の機能を損なうことがない。
【発明を実施するための最良の形態】
【００１１】
以下、本発明の実施の形態について詳細に説明する。
【００１２】
図１は本発明に係る広告宣伝方法の一例を示す説明図である。
【００１３】
この図１に示す例では、４人用の洗面台Ｗの前に設置された一枚ものの大きな化粧鏡Ｍの全面に渡って広告シール１０が貼着されている。広告シール１０は、透明フィルムに所定の情報を印刷するとともに、貼着面を弱粘着性としたもので、図示の広告シール１０では、洗面ボウルの一つ置きに例えば化粧品の宣伝情報が印刷されている。具体的には、縦長の大きな楕円形パターン１１とその左下に掛かるようにして小さな円形パターン１２が印刷されており、小さな円形パターン１２の中には商品名や商品の絵を鮮やかな背景と共に表示して見る人の注意を引くようになっている。さらに、楕円形パターン１１の中の右寄りのところには縦長の囲みパターン１３を設けてあり、その中にキャッチフレーズを印刷して見る人に広告内容を訴えかけるようになっている。この広告シール１０のように、縦長の楕円形パターン１１を設けることで、一枚ものの化粧鏡Ｍでも自分だけの専用の鏡のように演出することができる。
【００１４】
この広告シール１０が設置された洗面台を利用する人は、化粧直しや自分の顔の状態を確認するために化粧鏡Ｍを注視するが、その時に商品説明やキャッチフレーズが目に入り、その内容に興味が湧くことになる。そして、その商品の購入意欲が増したり、店を訪れようという気持ちが発現することになり、高い訴求効果を発揮することができる。
【００１５】
広告シール１０は、その素材に透明フィルムを用いており、しかも裏面の弱粘着剤に透明なものを使用しているので、印刷された情報以外の部分は透明のままであり、情報の印刷部分以外は鏡としての機能を維持する。透明フィルムは、透明であれば特に限定されるものではなく、好適なものとして、ポリプロピレンフィルム、ポリエチレンテレフタレートフィルム等が挙げられる。そして、透明フィルムの裏面に塗布する弱粘着剤は、剥がした時に糊残りを生じないものを選択するのが好ましい。
【００１６】
図２は図１に示した広告宣伝方法の変形例を示す説明図であり、この図２に示す例では、大きな化粧鏡Ｍの上方に４つの洗面ボウルに対応してそれぞれ照明Ｌが取り付けられており、この４つの照明Ｌの部分を除いた状態で化粧鏡Ｍの全面に渡って広告シール２０が貼着されている。そして、この広告シール２０においても、洗面ボウルの一つ置きに宣伝情報が印刷されているが、宣伝情報は小さな円形パターン２１と縦長の囲みパターン２２とで構成されている。
【００１７】
図３は本発明に係る広告宣伝方法の別の例を示す説明図である。
【００１８】
この図３に示す例では、パウダールームに設置された個別の化粧鏡ｍに、縦長の楕円形をした広告シール３０が貼着されている。そして、その広告シール３０には、左下側に小さな円形パターン３１が印刷されており、その円形パターン３１の中には商品名や商品の絵を鮮やかな背景と共に表示して見る人の注意を引くようになっている。さらに、広告シール３０の右寄りのところには縦長の囲みパターン３２を設けてあり、その中にキャッチフレーズを印刷して見る人に広告内容を訴えかけるようになっている。この広告シール３０を化粧鏡ｍに貼着した状態では、反射の違いにより楕円形がかすかに浮き出て立体感のあるように見える。
【００１９】
図４は図３に示した広告宣伝方法の変形例を示す説明図であり、この図４に示す例では、パウダールームに設置された個別の化粧鏡ｍの全面に渡って広告シール３０’が貼着されている。この広告シール３０’は、図３に示した広告シール３０と同じ印刷済みの透明フィルムを、楕円形ではなく矩形状に切り抜いたものである。この広告シール３０’は化粧鏡ｍと同じサイズであるので、貼付け作業を比較的簡単に行なうことができる。
【００２０】
図５は本発明の広告宣伝方法で使用する広告シールの具体例を示す平面図である。
【００２１】
この広告シール４０は、例えば、パウダールームに設置された個別の化粧鏡に貼着するものである。情報としては、図１で説明した情報と類似のものが印刷されており、図１の広告シール１０における楕円形パターンの代わりにクラシック調の模様パターン４１を施してある。さらに、この模様パターン４１と、小さな円形パターン４２と、縦長の囲みパターン４３の左辺に沿った縦線４４とで囲まれる領域を抜き部分Ａとして取り除いた状態になっている。このように、クラシック調の模様パターン４１を施してあることにより、単調な鏡をエレガントに演出でき、見る人におしゃれな気分を提供することができる。また、この広告シール４０のように、化粧鏡の使用者の正面に位置する中央部に顔のサイズ以上の抜き部分を設けることにより、見る人の顔の部分が鏡に直に映ることになるので、透明フィルムの上から見る場合のように、例え僅かでも鮮映度が落ちることがない。
【００２２】
本発明で使用する広告シールは、その弱粘着性の貼着面に離型紙を積層した状態で供給される。そして、現場にて裏側の離型紙を剥がし、エアを噛み込まないように注意しながら化粧鏡の表面に貼着する。
【００２３】
図５で説明したような抜き部分のある広告シールは、透明フィルムに離型紙を積層した後、ハーフカットを行う打抜き工程を経て透明フィルムの所定部位に切れ線を施しておく。図５の広告シール４０では、模様パターン４１と、小さな円形パターン４２と、縦長の囲みパターン４３の左辺に沿った縦線４４とで囲まれる領域を取り囲むパターンで切れ線を打抜き形成する。そして、現場にて離型紙を剥がし、化粧鏡の表面に貼着すると、抜き部分Ａに対応する透明フィルムは離型紙の側に残り、化粧鏡の表面には抜き部分Ａのある広告宣伝シール４０が貼着されるのである。
【００２４】
本発明で使用する広告シールは、以上に説明した広告シール以外にも、必要に応じて各種の模様や絵柄等を施したり、抜き部分を形成したりすることにより、広告宣伝のアイデアに応じて多彩な雰囲気を演出することができる。
【００２５】
また、印刷する情報を工夫することにより、印刷は一つの版ではあっても、抜きパターンを変えて種々の組み合せの広告シールとすることもできる。また、大きな一枚ものの化粧鏡の場合、図１及び図２に説明したような一枚ものの広告シールを貼着する代わりに、洗面ボウルごとに個別の広告シールを貼着するようにしてもよく、この場合、一つ置きに貼着するなど、その貼り方は必要に応じて決めればよい。
【図面の簡単な説明】
【００２６】
【図１】本発明に係る広告宣伝方法の一例を示す説明図である。
【図２】図１に示した広告宣伝方法の変形例を示す説明図である。
【図３】本発明に係る広告宣伝方法の別の例を示す説明図である。
【図４】図３に示した広告宣伝方法の変形例を示す説明図である。
【図５】本発明の広告宣伝方法で使用する広告シールの具体例を示す平面図である。
【符号の説明】
【００２７】
Ｍ，ｍ  化粧鏡
Ｗ  洗面台
１０  広告シール
１１  楕円形パターン
１２  円形パターン
１３  囲みパターン
２０  広告シール
２１  円形パターン
２２  囲みパターン
３０，３０’  広告シール
３１  円形パターン
３２  囲みパターン
４０  広告シール
４１  模様パターン
４２  円形パターン
４３  囲みパターン
４４  縦線
【図１】
2005266196.tif 000003
【図２】
2005266196.tif 000004
【図３】
2005266196.tif 000005
【図４】
2005266196.tif 000006
【図５】
2005266196.tif 000007